(57)【要約】【目的】携帯オーディオ装置を接続した車載オーディオ装置において、携帯オーディオ装置に記憶した楽曲をリピート再生モードで聞いているときに、車載オーディオ装置から携帯オーディオ装置のトラックアップ操作を行った場合、接続する携帯オーディオ装置に係らず、共通の再生制御を行うことが可能な車載オーディオ装置を提供することである。【解決手段】車載オーディオ装置２で、携帯オーディオ装置１に記憶した楽曲をリピート再生モードで再生しているときに、操作部２３にトラックアップ操作がされた場合、車載オーディオ装置２の制御部２７は、携帯オーディオ装置１の再生モードを通常再生モードに変更する指示を携帯オーディオ装置１に送信し、次いで、携帯オーディオ装置１にトラックアップ指示を送信後、携帯オーディオ装置１の再生モードをリピート再生モードに設定する指示を携帯オーディオ装置１に送信する。【選択図】図２
2013097822.tif 000002
【特許請求の範囲】
【請求項１】
複数の楽曲データを記憶し、予め定められた所定の再生順にしたがって前記楽曲データを順次再生する通常再生モードと、同一の楽曲データを繰り返し再生するリピート再生モードとを切り替え可能な外部機器を接続して、前記外部機器の楽曲データを再生可能な車載機器において、
現在再生中の楽曲データの再生制御を指示する操作部と、
前記リピート再生モードによる再生中に、前記操作部からトラックアップ指示があった場合、前記外部機器の再生モードを前記通常再生モードに変更する指示を前記外部機器に送信し、次いで、前記外部機器にトラックアップ指示を送信後、前記外部機器の再生モードをリピート再生モードに設定する指示を前記外部機器に送信する制御部と、
を備えることを特徴とする車載機器。
【請求項２】
複数の楽曲データを記憶し、予め定められた所定の再生順にしたがって前記楽曲データを順次再生する通常再生モードと、同一の楽曲データを繰り返し再生するリピート再生モードとを切り替え可能な外部機器を接続して、前記外部機器の楽曲データを再生可能な車載機器において、
現在再生中の楽曲データの再生制御を指示する操作部と、
前記リピート再生モードによる再生中に、前記操作部からトラックアップ指示があった場合、前記外部機器の再生モードを前記通常再生モードに変更する指示を前記外部機器に送信し、次いで、前記外部機器にトラックアップ指示及びトラックダウン指示をこの順序で送信後、前記外部機器の再生モードをリピート再生モードに設定する指示を前記外部機器に送信する制御部と、
を備えることを特徴とする車載機器。
【請求項３】
前記制御部は、前記リピート再生モードによる再生中に、前記操作部からトラックダウン指示があった場合、前記外部機器の再生モードを前記通常再生モードに変更する指示を前記外部機器に送信し、次いで、前記外部機器にトラックダウン指示を送信後、前記外部機器の再生モードをリピート再生モードに設定する指示を前記外部機器に送信する、
ことを特徴とする請求項１または請求項２のいずれかに記載の車載機器。
【請求項４】
前記リピート再生モードによる再生中に、前記操作部からトラックダウン指示があった場合、リピート再生モードを継続しつつ、現在再生中の楽曲データの先頭から再生を開始する外部機器の機種情報を予め記憶する記憶部と、
前記外部機器が接続された場合、前記外部機器から機種情報を取得する機種情報取得部と、
を更に備え、
前記外部機器から取得した機種情報が、前記記憶部に記憶されている機種情報に該当し、かつ、前記リピート再生モードによる再生中に、前記操作部から前記トラックダウン指示があった場合、前記制御部は、前記外部機器の再生モードを前記通常再生モードに変更する指示を前記外部機器に送信し、次いで、前記外部機器にトラックダウン指示を送信後、前記外部機器の再生モードをリピート再生モードに設定する指示を前記外部機器に送信する、
ことを特徴とする請求項３記載の車載機器。
【請求項５】
前記制御部は、前記リピート再生モードによる再生中に、前記操作部からトラックダウン指示があった場合、前記外部機器の再生モードを前記通常再生モードに変更する指示を前記外部機器に送信し、次いで、前記外部機器に、トラックアップ指示及びトラックダウン指示をこの順序で送信後、前記外部機器の再生モードをリピート再生モードに設定する指示を前記外部機器に送信する、
ことを特徴とする請求項１または請求項２のいずれかに記載の車載機器。
【請求項６】
前記リピート再生モードによる再生中に、前記操作部からトラックアップ指示があった場合、リピート再生モードを継続しつつ、現在再生中の楽曲データの先頭から再生を開始する外部機器の機種情報を予め記憶する記憶部と、
前記外部機器が接続された場合、前記外部機器から機種情報を取得する機種情報取得部と、
を更に備え、
前記外部機器から取得した機種情報が、前記記憶部に記憶されている機種情報に該当し、かつ、前記リピート再生モードによる再生中に、前記操作部から前記トラックアップ指示があった場合、前記制御部は、前記外部機器の再生モードを前記通常再生モードに変更する指示を前記外部機器に送信し、次いで、前記外部機器にトラックアップ指示を送信後、前記外部機器の再生モードをリピート再生モードに設定する指示を前記外部機器に送信する、
ことを特徴とする請求項１記載の車載機器。
【発明の詳細な説明】
【技術分野】
【０００１】
本発明は、外部機器に記憶する楽曲を再生可能な車載装置に係り、特に、同一の楽曲を繰り返し再生するリピート再生モードを利用する際に適した車載装置に関する。
【背景技術】
【０００２】
従来、車載オーディオ装置では、複数の楽曲が記憶された携帯オーディオ装置などの外部機器を接続すると、車載オーディオ装置の操作部を用いて、携帯オーディオ装置内の楽曲検索及び楽曲再生を行うことができる。
この車載オーディオ装置では、携帯オーディオ装置の再生モード（例えば、通常再生モード及びリピート再生モード等）を操作部から設定することが可能であり、リピート再生モードを設定することにより、現在再生中の楽曲の先頭に戻す所定の操作を行わなくても、お気に入りの楽曲を繰り返し再生する事が可能である。
【０００３】
例えば、特許文献１には、同一の楽曲を繰り返し再生するリピート再生モード以外の再生モード中に、現在再生中の楽曲の先頭から再生するための所定の操作（例えば、トラックダウン操作）が所定回数以上操作されると、リピート再生モードを設定するオーディオ装置が開示されている。また、リピート再生モード中に、現在再生中の楽曲の次の楽曲を再生するためのトラックアップ操作がされると、リピート再生モードを解除して次の楽曲に移行することも開示されている。
【先行技術文献】
【特許文献】
【０００４】
【特許文献１】特開２０１０−７３２３２号公報
【発明の概要】
【発明が解決しようとする課題】
【０００５】
ところで、一般的なオーディオ装置において、楽曲を記憶している順に再生する通常再生モード中に、トラックアップ操作を行った場合、図１−（Ａ）に示すように、現在再生中の楽曲の次曲に移行するようになっている。
一方、リピート再生モード中に、トラックアップ操作を行った場合、現在再生中の楽曲の先頭に移行するように、トラックアップ操作に対する楽曲移行制御を行うオーディオ装置（図１−（Ｂ））もあれば、次の楽曲に移行するようトラックアップ操作に対する楽曲移行制御を行うオーディオ装置（図１−（Ｃ））もあり、オーディオ装置メーカーの設定により異なっている。
【０００６】
特に、携帯オーディオ装置を接続した車載オーディオ装置において、リピート再生モードで携帯オーディオ装置に記憶する楽曲を聞いているときに、車載オーディオ装置から携帯オーディオ装置のトラックアップ操作を行うと、携帯オーディオ装置に設定されているトラックアップ操作に対する楽曲移行制御方法に依存するため、接続した携帯オーディオ装置により、現在再生中の楽曲の先頭に移行する場合と次の楽曲の再生に移行する場合が生じる。
そのため、接続した携帯オーディオ装置に設定されているトラックアップ操作の楽曲移行先を認識していなければ、ユーザが意図しない楽曲に移行し、再生されてしまっていた。このような問題は、現在再生中の楽曲から前曲の再生に移行するトラックダウン操作においても、同様に発生していた。
【０００７】
そこで、本発明の目的は、携帯オーディオ装置を接続した車載オーディオ装置において、携帯オーディオ装置に記憶した楽曲をリピート再生モードで聞いているときに、車載オーディオ装置から携帯オーディオ装置のトラックアップ／トラックダウン操作を行った場合、接続する携帯オーディオ装置に係らず、共通の再生制御を行うことが可能な車載オーディオ装置を提供することである。
【課題を解決するための手段】
【０００８】
上記課題を解決する為に、本発明の車載機器は、複数の楽曲データを記憶し、予め定められた所定の再生順にしたがって前記楽曲データを順次再生する通常再生モードと、同一の楽曲データを繰り返し再生するリピート再生モードとを切り替え可能な外部機器を接続して、前記外部機器の楽曲データを再生可能な車載機器であって、現在再生中の楽曲データの再生制御を指示する操作部と、前記リピート再生モードによる再生中に、前記操作部からトラックアップ指示があった場合、前記外部機器の再生モードを前記通常再生モードに変更する指示を前記外部機器に送信し、次いで、前記外部機器にトラックアップ指示を送信後、前記外部機器の再生モードをリピート再生モードに設定する指示を前記外部機器に送信する制御部と、を備えている。
【０００９】
あるいは、本発明の車載機器は、複数の楽曲データを記憶し、予め定められた所定の再生順にしたがって前記楽曲データを順次再生する通常再生モードと、同一の楽曲データを繰り返し再生するリピート再生モードとを切り替え可能な外部機器をして、前記外部機器の楽曲データを再生可能な車載機器であって、現在再生中の楽曲データの再生制御を指示する操作部と、前記リピート再生モードによる再生中に、前記操作部からトラックアップ指示があった場合、前記外部機器の再生モードを前記通常再生モードに変更する指示を前記外部機器に送信し、次いで、前記外部機器にトラックアップ指示及びトラックダウン指示をこの順序で送信後、前記外部機器の再生モードをリピート再生モードに設定する指示を前記外部機器に送信する制御部と、を備えている。
【００１０】
また、前記制御部は、前記リピート再生モードによる再生中に、前記操作部からトラックダウン指示があった場合、前記外部機器の再生モードを前記通常再生モードに変更する指示を前記外部機器に送信し、次いで、前記外部機器にトラックダウン指示を送信後、前記外部機器の再生モードをリピート再生モードに設定する指示を前記外部機器に送信するようにしてもよい。
あるいは、前記制御部は、前記リピート再生モードによる再生中に、前記操作部からトラックダウン指示があった場合、前記外部機器の再生モードを前記通常再生モードに変更する指示を前記外部機器に送信し、次いで、前記外部機器に、トラックアップ指示及びトラックダウン指示をこの順序で送信後、前記外部機器の再生モードをリピート再生モードに設定する指示を前記外部機器に送信するようにしてもよい。
【００１１】
好ましくは、前記リピート再生モードにより再生中に、前記操作部からトラックアップ／トラックダウン指示があった場合、リピート再生モードを継続しつつ、現在再生中の楽曲データの先頭から再生を開始する外部機器の機種情報を予め記憶する記憶部と、前記外部機器が接続された場合、前記外部機器から機種情報を取得する機種情報取得部と、を更に備え、前記外部機器から取得した機種情報が、前記記憶部に記憶されている機種情報に該当し、かつ、前記リピート再生モードによる再生中に、前記操作部から前記トラックアップ／トラックダウン指示があった場合、前記制御部は、前記外部機器の再生モードを前記通常再生モードに変更する指示を前記外部機器に送信し、次いで、前記外部機器にトラックアップ／トラックダウン指示を送信後、前記外部機器の再生モードをリピート再生モードに設定する指示を前記外部機器に送信する。
【発明の効果】
【００１２】
本発明によれば、リピート再生モード設定中に、車載オーディオ装置でトラックアップ／トラックダウン操作を行うと、車載オーディオ装置は、携帯オーディオ装置に対し、リピート再生モードを解除する指示（通常再生モードを設定する指示）を出力し、続いて、トラックアップ／トラックダウン指示を出力し、そして、再度リピート再生モードの設定指示を出力するようにしたことで、接続する携帯オーディオ装置にかかわらず、リピート再生モード設定中のトラックアップ／トラックダウン操作で、同一の移行先の楽曲が再生されるため、ユーザの不快感をなくすことが可能となる。
また、接続する携帯オーディオ装置に応じて、上記楽曲移行制御を行うようにしたことで、車載オーディオ装置における処理の負荷を抑えることが可能となる。
【図面の簡単な説明】
【００１３】
【図１】従来のトラックアップ操作に対する楽曲移行制御の概略図である。
【図２】実施例１に係る携帯オーディオ装置１と車載オーディオ装置２の構成図である。
【図３】楽曲データ記憶部１１の楽曲記憶例を示す図である。
【図４】楽曲再生中の画面表示例を示す図である。
【図５】実施例１に係るトラックアップ操作に対する楽曲移行制御のフロー図である。
【図６】実施例１に係るトラックアップ操作に対する楽曲移行動作を示す図である。
【図７】実施例１に係る接続する携帯オーディオ装置１に応じて、楽曲移行制御を行う場合の携帯オーディオ装置１と車載オーディオ装置２の構成図である。
【図８】実施例２に係る携帯オーディオ装置１と車載オーディオ装置２の構成図である。
【図９】実施例２に係るトラックアップ操作に対する楽曲移行制御のフロー図である。
【図１０】実施例２に係るトラックアップ操作に対する楽曲移行動作を示す図である。
【図１１】実施例３に係る携帯オーディオ装置１と車載オーディオ装置２の構成図である。
【図１２】実施例３に係るトラックダウン操作に対する楽曲移行制御のフロー図である。
【図１３】実施例３に係るトラックダウン操作に対する楽曲移行動作を示す図である。
【図１４】実施例３に係る接続する携帯オーディオ装置１に応じて、楽曲移行制御を行う場合の携帯オーディオ装置１と車載オーディオ装置２の構成図である。
【図１５】実施例４に係る携帯オーディオ装置１と車載オーディオ装置２の構成図である。
【図１６】実施例４に係るトラックダウン操作に対する楽曲移行制御のフロー図である。
【発明を実施するための形態】
【００１４】
本発明に係る車載装置は、車載オーディオ装置であり、複数の楽曲データを記憶する外部機器である携帯オーディオ装置を接続しており、携帯オーディオ装置に記憶されている楽曲データを取得して再生することができるものとして説明する。
【実施例１】
【００１５】
図２は、実施例１にかかる携帯オーディオ装置１と車載オーディオ装置２の構成を示した図である。
携帯オーディオ装置１は、楽曲データ記憶部１１、外部機器接続部１２、操作部１３、表示部１４、楽曲データ再生部１５、スピーカ１６、携帯制御部１７によって構成される。
【００１６】
楽曲データ記憶部１１は、フラッシュメモリ等により構成され、複数の楽曲を記憶する。これら複数の楽曲は、図３に示すように、楽曲毎に、楽曲データと、アーティスト名、アルバム名、ジャンル名、楽曲名の楽曲情報が対応付けされて記憶されている。
【００１７】
外部機器接続部１２は、車載オーディオ装置２やＰＣ（Ｐｅｒｓｏｎａｌ  Ｃｏｍｐｕｔｅｒ）と接続可能であり、車載オーディオ装置２を接続することで、車載オーディオ装置２とデータ通信を行うことができる。また、ＰＣを接続することで、ＰＣとデータ通信を行うことができ、ＰＣから楽曲データと楽曲情報を取得して楽曲データ記憶部１１に記憶させることができる。なお、外部機器接続部１２は、ＵＳＢなどの有線接続でも、ブルートゥース（登録商標）などの無線接続であってもよい。
【００１８】
操作部１３は、タッチパネルやリモコンで構成され、トラック操作をするためのキー（再生キー、停止キー、トラックアップキー、トラックダウンキー）と、通常再生モードを設定するための通常再生モード設定キーと、リピート再生モードを設定するリピート再生モード設定キーを少なくとも含んでいる。
操作部１３はこれらのキーが押下されると、その押下されたキーに従った指示を携帯制御部１７に入力する。
【００１９】
表示部１４は、液晶表示装置で構成され、読出制御部１７３から出力される現在再生中の楽曲データに対する楽曲情報を表示する。
楽曲データ再生部１５は、読出制御部１７３から出力される楽曲データに対して、復号処理（デコード）やＤ／Ａ変換処理等を行い、スピーカ１６に出力する。スピーカ１６は、楽曲データ再生部１５より入力された楽曲データを音声として出力する。
【００２０】
携帯制御部１７は、携帯オーディオ装置１の全体を制御し、記憶制御部１７１と、再生モード設定部１７２と、読出制御部１７３と、によって構成される。
記憶制御部１７１は、外部機器接続部１２にＰＣが接続されている場合に、ＰＣから楽曲データの記憶指示が入力されると、ＰＣから楽曲データと楽曲情報を取得し、この取得した楽曲データと楽曲情報を対応付けて楽曲データ記憶部１１に記憶する。この処理を複数の楽曲に対して行うことで、楽曲データ記憶部１１には、図３に示すように複数の楽曲を記憶することができる。
【００２１】
再生モード設定部１７２は、携帯オーディオ装置１の操作部１３の通常再生モード設定キーが押下されると、通常再生モード設定指示が入力され、予め定められた所定の再生順に従って楽曲データ順次再生する通常再生モードを設定する。一方、携帯オーディオ装置１の操作部１３のリピート再生モード設定キーが押下されると、リピート再生モード設定指示が入力され、同一の楽曲データを繰り返し再生するリピート再生モードを設定する。
そして、設定した再生モードの情報を車載オーディオ装置２の再生モード記憶部２７２に出力する。
また、車載オーディオ装置２の操作部２３の通常再生モード設定キーが押下されるか、リピート再生モード時にトラックアップキーが押下されると、車載オーディオ装置２の再生モード指示部２７１から通常再生モード設定指示が入力され、通常再生モードを設定する。一方、車載オーディオ装置２の操作部２３のリピート再生モード設定キーが押下されると、車載オーディオ装置２の再生モード指示部２７１からリピート再生モード設定指示が入力され、リピート再生モードを設定する。
【００２２】
さらに、再生モード設定部１７２は、リピート再生モード設定時に、トラックアップキーが押下され、その後、楽曲データと楽曲情報が読出制御部１７３から再生制御部２７４に入力されると、車載オーディオ装置２の設定モード指示部２７１からリピート再生モード設定指示が入力され、リピート再生モードを設定する。
この再生モード設定部１７２は、上記のように、通常再生モードやリピート再生モードを設定する度に、その設定された再生モードの情報を車載オーディオ装置２の再生モード記憶部２７２に出力する。
【００２３】
読出制御部１７３は、操作部１３から楽曲再生指示が入力されると、楽曲データ記憶部１１から楽曲再生指示で指定された楽曲データと楽曲情報を取得し、楽曲データを楽曲データ再生部１５に出力し、楽曲情報を表示部１４に表示する。
その後、読出制御部１７３は、現在再生中の楽曲の再生が終わると、再生モード設定部１７２に設定されている再生モードを確認し、通常再生モードが設定されているときには、図３に示す楽曲番号順に、楽曲データと楽曲情報を楽曲データ記憶部１１から取得する。一方、再生モード設定部１７２でリピート再生モードが設定されているときには、再度同じ楽曲の楽曲データと楽曲情報を楽曲データ記憶部１１から取得する。
そして、楽曲データと楽曲情報を取得すると、読出制御部１７３は、楽曲データを楽曲データ再生部１５に出力し、楽曲情報を表示部１４に表示する。
【００２４】
読出制御部１７３は、車載オーディオ装置２から外部機器接続部１２を介して、楽曲再生指示が入力されると、楽曲データ記憶部１１から楽曲再生指示で指定された楽曲データと楽曲情報を取得し、車載オーディオ装置２の再生制御部２７４に出力する。
その後、読出制御部１７３は、現在再生中の楽曲の再生が終わると、再生モード設定部１７２に設定されている再生モードを確認し、通常再生モードが設定されているときには、図３に示す楽曲番号順に、楽曲データと楽曲情報を楽曲データ記憶部１１から取得する。一方、再生モード設定部１７２でリピート再生モードが設定されているときには、再度同じ楽曲の楽曲データと楽曲情報を楽曲データ記憶部１１から取得する。
そして、楽曲データと楽曲情報を取得すると、読出制御部１７３は、車載オーディオ装置２の再生制御部２７４に出力する。
【００２５】
読出制御部１７３は、操作部１３からトラックアップ指示が入力されると、再生モード設定部１７２に設定されている再生モードを確認し、通常再生モードが設定されているときには、現在再生中の楽曲の次曲の楽曲データと楽曲情報を、楽曲データ記憶部１１から取得する。一方、リピート再生モードが設定されているときには、携帯オーディオ装置１に予め設定されている楽曲移行制御方法に従い、現在再生中の楽曲の次曲、あるいは、現在再生中の楽曲のどちらか一方の楽曲データと楽曲情報を楽曲データ記憶部１１から取得する。
そして、楽曲データと楽曲情報を取得すると、読出制御部１７３は、楽曲データを楽曲データ再生部１５に出力し、楽曲情報を表示部１４に表示する。
【００２６】
読出制御部１７３は、車載オーディオ装置２から外部機器接続部１２を介して、トラックアップ指示が入力されると、再生モード設定部１７２に設定されている再生モードを確認し、通常再生モードが設定されているときには、現在再生中の楽曲の次曲の楽曲データと楽曲情報を、楽曲データ記憶部１１から取得する。一方、リピート再生モードが設定されているときには、携帯オーディオ装置１に予め設定されている楽曲移行制御方法に従い、現在再生中の楽曲の次曲、あるいは、現在再生中の楽曲のどちらか一方の楽曲データと楽曲情報を楽曲データ記憶部１１から取得する。
そして、楽曲データと楽曲情報を取得すると、読出制御部１７３は、車載オーディオ装置２の再生制御部２７４に出力する。
【００２７】
続いて、車載オーディオ装置２は、携帯オーディオ接続部２２、操作部２３、表示部２４、楽曲データ再生部２５、スピーカ２６、車載制御部２７によって構成される。
携帯オーディオ接続部２２は、携帯オーディオ装置１を接続可能であり、携帯オーディオ装置１とデータ通信を行うことができる。なお、携帯オーディオ接続部２２は、ＵＳＢなどの有線接続でもブルートゥースなどの無線接続であってもよい。ただし、携帯オーディオ装置１に備えられている外部機器接続部１２と、同じ規格で構成されている。つまり、外部機器接続部１２がブルートゥースで構成されている場合、携帯オーディオ接続部２２も、ブルートゥースで構成されている。
【００２８】
操作部２３は、タッチパネルやリモコンで構成され、携帯オーディオ装置１のトラック操作をするためのキー（再生キー、停止キー、トラックアップキー、トラックダウンキー）と、通常再生モードを設定するための通常再生モード設定キーと、リピート再生モードを設定するためのリピート再生モード設定キーを少なくとも含んでいる。
操作部２３はこれらのキーが押下されると、その押下されたキーに従った指示を車載制御部２７に入力する。
【００２９】
表示部２４は、液晶表示装置で構成され、車載制御部２７から出力される現在再生中の楽曲データに対する楽曲情報や各種操作キー等を表示する。例えば、再生中の楽曲データに対する楽曲情報と、再生指示キー、停止指示キー、トラックアップ指示キー（ＴＵ）、トラックダウン指示キー（ＴＤ）、通常再生モード設定キー（ＮＲ）、リピート再生モード設定キー（ＲＰ）などの各種操作ボタンを配置した画面（図４）を表示する。図４の通常再生モード設定キー（ＮＲ）とリピート再生モード設定キー（ＲＰ）において、黒塗り白文字で表示されていると、現在設定されている再生モードであることを示している。
【００３０】
楽曲データ再生部２５は、再生制御部２７４から出力された楽曲データに対して、復号処理（デコード）やＤ／Ａ変換処理等を行い、スピーカ２６に出力する。スピーカ２６は、楽曲データ再生部２５より入力された楽曲データを音声として出力する。
【００３１】
車載制御部２７は、車載オーディオ装置２の全体を制御し、再生モード指示部２７１と、再生モード記憶部２７２と、楽曲移行指示部２７３と、再生制御部２７４と、によって構成される。
再生モード指示部２７１は、操作部２３の通常再生モード設定キー（ＮＲ）が押下されると、携帯オーディオ接続部２２を介して、再生モード設定部１７２に通常再生モード設定指示を出力する。
また、再生モード指示部２７１は、操作部２３のリピート再生モード設定キー（ＲＰ）が押下されると、携帯オーディオ接続部２２を介して、再生モード設定部１７２にリピート再生モード設定指示を出力する。
【００３２】
さらに、再生モード指示部２７１は、再生モード記憶部２７２にリピート再生モードが記憶されているときに、操作部２３のトラックアップキー（ＴＲ）が押下されると、楽曲移行指示部２７３が携帯オーディオ装置１にトラックアップ指示を出力する前に、通常再生モード設定指示を携帯オーディオ装置１の再生モード設定部１７２に出力する。
この処理を行った後、楽曲データと楽曲情報が携帯オーディオ装置１から再生制御部２７４に入力されると、再生モード指示部２７１は、携帯オーディオ装置１の再生モード設定部１７２にリピート再生モード設定指示を出力する。
【００３３】
再生モード記憶部２７２は、再生モード設定部１７２から入力される携帯オーディオ装置１の再生モード情報を記憶し、携帯オーディオ装置１の接続が解除されると、記憶している再生モード情報を削除する。
再生モード記憶部２７２は、記憶している再生モードを表示部２４に出力し、表示部２４に表示することで、ユーザは携帯オーディオ装置１に現在設定されている再生モードが確認できる。
【００３４】
楽曲移行指示部２７３は、操作部２３のトラックアップキー（ＴＲ）が押下され、再生モード記憶部２７２に通常再生モードが記憶されているときには、携帯オーディオ装置１の読出制御部１７３にトラックアップ指示を出力する。
また、楽曲移行指示部２７３は、操作部２３のトラックアップキー（ＴＲ）が押下され、再生モード記憶部２７２にリピート再生モードが記憶されているときには、再生モード指示部２７１が携帯オーディオ装置１に通常再生モード設定指示を出力した後、携帯オーディオ装置１の読出制御部１７３にトラックアップ指示を出力する。
再生制御部２７４は、携帯オーディオ装置１の読出制御部１７３から楽曲データと楽曲情報が入力されると、楽曲データを楽曲データ再生部２５に出力し、楽曲情報を表示部２４に表示させる。
【００３５】
続いて、本発明の実施例１に係る車載オーディオ装置２のトラックアップ操作に対する楽曲移行制御について、図５を用いて説明する。ここで、携帯オーディオ装置１は、車載オーディオ装置２に接続されており、現在、楽曲「ＴｉｔｌｅＢ」が再生されているものとする。
【００３６】
ユーザは、車載オーディオ装置２の操作部２３のリピート再生モード設定キーを押下すると（Ｓ１０１）、再生モード指示部２７１は、リピート再生モード設定指示を携帯オーディオ装置１の再生モード設定部１７２に出力する（Ｓ１０３）。そして、その指示受け、再生モード設定部１７２は、リピート再生モードを設定する（Ｓ１０５）。このとき、再生モード設定部１７２は、設定したリピート再生モード情報を再生モード記憶部２７２に出力し（Ｓ１０７）、再生モード記憶部２７２は、リピート再生モードを記憶する（Ｓ１０９）。
【００３７】
その後、ユーザが、車載オーディオ装置２の操作部２３を用いてトラックアップ操作（トラックアップキー押下）を行うと（Ｓ１１１）、再生モード記憶部２７２にリピート再生モードが記憶されているため、再生モード指示部２７１は、携帯オーディオ装置１の再生モード設定部１７２に対して、通常再生モード設定指示を出力する（Ｓ１１３）。そして、再生モード設定部１７２は、入力された指示を受け、通常再生モードを設定する（Ｓ１１５）。このとき、再生モード設定部１７２は、設定した通常再生モード情報を再生モード記憶部２７２に出力し（Ｓ１１７）、再生モード記憶部２７２は、通常再生モードを記憶する（Ｓ１１９）。
【００３８】
続いて、楽曲移行指示部２７３は、携帯オーディオ装置１の読出制御部１７３に対して、トラックアップ指示を出力する（Ｓ１２１）。読出制御部１７３は、入力されたトラックアップ指示を受け、現在再生モード設定部１７２に通常再生モードが設定されているため、現在再生中の楽曲の次曲の楽曲データと楽曲情報を読み出す（Ｓ１２３）。
そして、読み出した楽曲データと楽曲情報を、車載オーディオ装置２の再生制御部２７４に出力する（Ｓ１２５）。
【００３９】
具体的には、図６に示すように、楽曲データ「ＴｉｔｌｅＢ」を再生中の場合、読出制御部１７３は、トラックアップ指示を受け、現在再生中の楽曲「ＴｉｔｌｅＢ」の次曲「ＴｉｔｌｅＣ」の楽曲データ（「ＤａｔａＣ」）と楽曲情報（アーティスト名「Ａｒｔｉｓｔ  Ａ」、アルバム名「Ａｌｂｕｍ  Ａ」、ジャンル「ＰＯＰＳ」、楽曲名「ＴｉｔｌｅＣ」）を楽曲データ記憶部１１から読み出し、それらを再生制御部２７４に出力する。
【００４０】
再生制御部２７４は、入力された楽曲データを楽曲データ再生部２５に出力し、楽曲再生を行い、また、再生制御部２７４は、入力された楽曲情報を表示部２４に表示する（Ｓ１２７）。
その後、再生モード指示部２７１は、携帯オーディオ装置１の再生モード設定部１７２に対して、リピート再生モード設定指示を出力する（Ｓ１２９）。そして、再生モード設定部１７２は、リピート再生モード設定指示を受け、リピート再生モードを設定する（Ｓ１３１）。このとき、再生モード設定部１７２は、設定したリピート再生モード情報を再生モード記憶部２７２に出力し（Ｓ１３３）、再生モード記憶部２７２は、リピート再生モードを記憶する（Ｓ１３５）。
【００４１】
なお、接続する携帯オーディオ装置の種類に関係なく、リピート再生モードの設定中にトラックアップ操作がされた際、全ての携帯オーディオ装置に対して、図５に記載のトラックアップ操作に対する楽曲移行制御を行う例を説明したが、所定の携帯オーディオ装置１を接続したときだけ、トラックアップ操作に対する楽曲移行制御を行うようにすることも可能である。
【００４２】
具体的には、図７に示すように、携帯オーディオ装置１に携帯オーディオ装置毎に定められた機種情報を示す機種ＩＤを予め記憶する機種情報記憶部１９を備え、車載オーディオ装置２に本発明に係るトラックアップ処理（図５）を行う携帯オーディオ装置１の機種ＩＤを記憶する対象機種記憶部２９と、携帯オーディオ装置１から機種ＩＤを取得する機種情報取得部２７５を備え、機種情報取得部２７５が取得した機種ＩＤが、対象機種記憶部２９に記憶されている場合に、本発明に係るトラックアップ処理を行うようにする。
これにより、車載オーディオ装置２は、接続する携帯オーディオ装置１に応じて、本発明に係るトラックアップ操作に対する楽曲移行制御を行うか否かを制御することが可能となる。
【００４３】
上記の構成と処理により、リピート再生モード設定中に、車載オーディオ装置２でトラックアップ操作を行うと、車載オーディオ装置２は、携帯オーディオ装置１に、リピート再生モードを解除する指示（通常再生モードを設定する指示）を出力し、続いて、トラックアップ指示、リピート再生モード設定指示の順に出力するため、接続する携帯オーディオ装置に係らず、常に、次曲の楽曲が再生されるようになり、ユーザの不快感をなくすことができる。
【実施例２】
【００４４】
図８は、実施例２にかかる携帯オーディオ装置１と車載オーディオ装置２の構成を示した図である。なお、実施例１に示す携帯オーディオ装置１及び車載オーディオ装置２と同じ構成要素については、同じ符号を付して、その説明を省略する。
携帯オーディオ装置１は、楽曲データ記憶部１１、外部機器接続部１２、操作部１３、表示部１４、楽曲データ再生部１５、スピーカ１６、携帯制御部１８によって構成される。
携帯制御部１８は、携帯オーディオ装置１の全体を制御し、記憶部１７１と再生モード設定部１７２と、読出制御部１８３と、によって構成される。
【００４５】
読出制御部１８３は、操作部１３から楽曲再生指示が入力されると、楽曲データ記憶部１１から楽曲再生指示で指定された楽曲データと楽曲情報を取得し、楽曲データを楽曲データ再生部１５に出力し、楽曲情報を表示部１４に表示する。
その後、読出制御部１８３は、現在再生中の楽曲の再生が終わると、再生モード設定部１７２に設定されている再生モードを確認し、通常再生モードが設定されているときには、図３に示す楽曲番号順に、楽曲データと楽曲情報を楽曲データ記憶部１１から取得する。一方、再生モード設定部１７２でリピート再生モードが設定されているときには、再度同じ楽曲の楽曲データと楽曲情報を楽曲データ記憶部１１から取得する。
そして、楽曲データと楽曲情報を取得すると、読出制御部１８３は、楽曲データを楽曲データ再生部１５に出力し、楽曲情報を表示部１４に表示する。
【００４６】
読出制御部１８３は、車載オーディオ装置２から外部機器接続部１２を介して、楽曲再生指示が入力されると、楽曲データ記憶部１１から楽曲再生指示で指定された楽曲データと楽曲情報を取得し、車載オーディオ装置２の再生制御部２７４に出力する。
その後、読出制御部１８３は、現在再生中の楽曲の再生が終わると、再生モード設定部１７２に設定されている再生モードを確認し、通常再生モードが設定されているときには、図３に示す楽曲番号順に、楽曲データと楽曲情報を楽曲データ記憶部１１から取得する。一方、再生モード設定部１７２でリピート再生モードが設定されているときには、再度同じ楽曲の楽曲データと楽曲情報を楽曲データ記憶部１１から取得する。
そして、楽曲データと楽曲情報を取得すると、読出制御部１８３は、車載オーディオ装置２の再生制御部２７４に出力する。
【００４７】
読出制御部１８３は、操作部１３からトラックアップ指示が入力されると、再生モード設定部１７２に設定されている再生モードを確認し、通常再生モードが設定されているときには、現在再生中の楽曲の次曲の楽曲データと楽曲情報を、楽曲データ記憶部１１から取得する。一方、リピート再生モードが設定されているときには、携帯オーディオ装置１に予め設定されている楽曲移行制御方法に従い、現在再生中の楽曲の次曲、あるいは、現在再生中の楽曲のどちらか一方の楽曲データと楽曲情報を楽曲データ記憶部１１から取得する。
そして、楽曲データと楽曲情報を取得すると、読出制御部１８３は、楽曲データを楽曲データ再生部１５に出力し、楽曲情報を表示部１４に表示する。
【００４８】
読出制御部１８３は、車載オーディオ装置２から外部機器接続部１２を介して、トラックアップ指示が入力されると、再生モード設定部１７２に設定されている再生モードを確認し、通常再生モードが設定されているときには、現在再生中の楽曲の次曲の楽曲データと楽曲情報を、楽曲データ記憶部１１から取得する。一方、リピート再生モードが設定されているときには、携帯オーディオ装置１に予め設定されている楽曲移行制御方法に従い、現在再生中の楽曲の次曲、あるいは、現在再生中の楽曲のどちらか一方の楽曲データと楽曲情報を楽曲データ記憶部１１から取得する。
【００４９】
また、読出制御部１８３は、車載オーディオ装置２から外部機器接続部１２を介して、トラックダウン指示が入力されると、再生モード設定部１７２に設定されている再生モードを確認し、通常再生モードが設定されているときには、再生時間が所定時間（例えば２秒）以内であれば、現在再生中の楽曲の前曲の楽曲データと楽曲情報を、再生時間が所定時間より後であれば、現在再生中の楽曲の楽曲データと楽曲情報を、楽曲データ記憶部１１から取得する。一方、リピート再生モードが設定されているときには、携帯オーディオ装置１に予め設定されている楽曲移行制御方法に従い、現在再生中の楽曲の前曲、あるいは、現在再生中の楽曲のどちらか一方の楽曲データと楽曲情報を楽曲データ記憶部１１から取得する。
そして、楽曲データと楽曲情報を取得すると、読出制御部１８３は、車載オーディオ装置２の再生制御部２７４に出力する。
【００５０】
続いて、車載オーディオ装置２は、携帯オーディオ接続部２２、操作部２３、表示部２４、楽曲データ再生部２５、スピーカ２６、車載制御部２８によって構成される。
車載制御部２８は、車載オーディオ装置２の全体を制御し、再生モード指示部２７１と、再生モード記憶部２７２と、楽曲移行指示部２８３と、再生制御部２７４と、によって構成される。
楽曲移行指示部２８３は、操作部２３のトラックアップキー（ＴＲ）が押下され、再生モード記憶部２７２に通常再生モードが記憶されているときには、携帯オーディオ装置１の読出制御部１８３にトラックアップ指示を出力する。
また、楽曲移行指示部２８３は、操作部２３のトラックアップキー（ＴＲ）が押下され、再生モード記憶部２７２にリピート再生モードが記憶されているときには、再生モード指示部２７１が携帯オーディオ装置１に通常再生モード設定指示を出力した後、携帯オーディオ装置１の読出制御部１８３にトラックアップ指示、トラックダウン指示順に出力する。
【００５１】
続いて、本発明の実施例２に係る車載オーディオ装置２のトラックアップ操作に対する楽曲移行制御について、図９を用いて説明する。ここで、携帯オーディオ装置１は、車載オーディオ装置２に接続されており、現在、楽曲「ＴｉｔｌｅＢ」が再生されているものとする。
【００５２】
ユーザは、車載オーディオ装置２の操作部２３のリピート再生モード設定キーを押下すると（Ｓ２０１）、再生モード指示部２７１は、リピート再生モード設定指示を携帯オーディオ装置１の再生モード設定部１７２に出力する（Ｓ２０３）。そして、その指示を受け、再生モード設定部１７２は、リピート再生モードを設定する（Ｓ２０５）。このとき、再生モード設定部１７２は、設定したリピート再生モード情報を再生モード記憶部２７２に出力し（Ｓ２０７）、再生モード記憶部２７２は、リピート再生モードを記憶する（Ｓ２０９）。
【００５３】
その後、ユーザが、車載オーディオ装置２の操作部２３を用いてトラックアップ操作（トラックアップキー押下）を行うと（Ｓ２１１）、再生モード記憶部２７２にリピート再生モードが記憶されているため、再生モード指示部２７１は、携帯オーディオ装置１の再生モード設定部１７２に対して、通常再生モード設定指示を出力する（Ｓ２１３）。そして、再生モード設定部１７２は、入力された指示を受け、通常再生モードを設定する（Ｓ２１５）。このとき、再生モード設定部１７２は、設定した通常再生モード情報を再生モード記憶部２７２に出力し（Ｓ２１７）、再生モード記憶部２７２は、通常再生モードを記憶する（Ｓ２１９）。
【００５４】
続いて、楽曲移行指示部２８３は、携帯オーディオ装置１の読出制御部１８３に対して、トラックアップ指示を出力する（Ｓ２２１）。読出制御部１８３は、入力されたトラックアップ指示を受け、現在再生モード設定部１７２には通常再生モードが設定されているため、現在再生中の楽曲の次曲の楽曲データと楽曲情報を読み出す（Ｓ２２３）。
【００５５】
その後、楽曲移行指示部２８３は、ステップＳ２２１にてトラックアップ指示を出力すると、すぐに、携帯オーディオ装置１の読出制御部１８３に対して、トラックダウン指示を出力する（Ｓ２２５）。読出制御部１８３は、入力されたトラックダウン指示を受け、現在再生モード設定部１７２には通常再生モードが設定されているため、ステップＳ２２３にて読み出した楽曲の前曲の楽曲データと楽曲情報を、楽曲データ記憶部１１から読み出す（Ｓ２２７）。つまり、車載オーディオ装置２でトラックアップ操作を行った時に、再生中であった楽曲の楽曲データと楽曲情報が読み出される。
そして、読出制御部１８３は、読み出した楽曲データと楽曲情報を、車載オーディオ装置２の再生制御部２７４に出力する（Ｓ２２９）
【００５６】
具体的には、図１０に示すように、楽曲データ「ＴｉｔｌｅＢ」を再生中の場合、読出制御部１８３は、トラックアップ指示を受け、現在再生中の楽曲「ＴｉｔｌｅＢ」の次曲「ＴｉｔｌｅＣ」の楽曲データ（「ＤａｔａＣ」）と楽曲情報（アーティスト名「Ａｒｔｉｓｔ  Ａ」、アルバム名「Ａｌｂｕｍ  Ａ」、ジャンル「ＰＯＰＳ」、楽曲名「ＴｉｔｌｅＣ」）を楽曲データ記憶部１１から読み出す。
その後、すぐにトラックダウン指示が読出制御部１８３に入力されるので、先ほど読み出した楽曲「ＴｉｔｌｅＣ」の前曲「ＴｉｔｌｅＢ」の楽曲データ（「ＤａｔａＢ」）と楽曲情報（アーティスト名「Ａｒｔｉｓｔ  Ａ」、アルバム名「Ａｌｂｕｍ  Ａ」、ジャンル「ＰＯＰＳ」、楽曲名「ＴｉｔｌｅＢ」）を楽曲データ記憶部１１から読み出し、それらを再生制御部２７４に出力する。
【００５７】
再生制御部２７４は、入力された楽曲データを楽曲データ再生部２５に出力し、楽曲再生を行い、また、再生制御部２７４は、入力された楽曲情報を表示部２４に表示させる（Ｓ２３１）。
その後、再生モード指示部２７１は、携帯オーディオ装置１の再生モード設定部１７２に対して、リピート再生モードの設定指示を出力する（Ｓ２３３）。そして、再生モード設定部１７２は、リピート再生モード設定指示を受け、リピート再生モードを設定する（Ｓ２３５）。このとき、再生モード設定部１７２は、設定したリピート再生モード情報を再生モード記憶部２７２に出力し（Ｓ２３７）、再生モード記憶部２７２は、リピート再生モードを記憶する（Ｓ２３９）。
【００５８】
なお、本実施例２の場合においても、接続する携帯オーディオ装置の種類に関係なく、リピート再生モードの設定中にトラックアップ操作がされた際、全ての携帯オーディオ装置に対して、図９に記載のトラックアップ操作に対する楽曲移行制御を行う例を説明したが、所定の携帯オーディオ装置１を接続したときだけ、トラックアップ操作に対する楽曲移行制御を行うようにすることも可能である。
このトラックアップ操作に対する楽曲移行制御を行う携帯オーディオ装置か否かの判別については、実施例１記載の内容と同じであり、機種情報記憶部１９と、対象機種記憶部２９と、機種情報取得部２７５とを更に備えることで、可能となるため、その説明を省略する。
【００５９】
上記の構成と処理により、リピート再生モード設定中に、車載オーディオ装置２でトラックアップ操作を行うと、車載オーディオ装置２は、携帯オーディオ装置１に、リピート再生モードを解除する指示（通常再生モードを設定する指示）を出力し、続いて、トラックアップ指示、トラックダウン指示、リピート再生モード設定指示の順に出力するため、接続する携帯オーディオ装置に係らず、常に、現在再生中の楽曲の先頭から再生されるようになり、ユーザの不快感をなくすことができる。
【実施例３】
【００６０】
図１１は、実施例３にかかる携帯オーディオ装置１と車載オーディオ装置２の構成を示した図である。なお、実施例１、実施例２に示す携帯オーディオ装置１及び車載オーディオ装置２と同じ構成要素については、同じ符号を付して、その説明を省略する。
携帯オーディオ装置１は、楽曲データ記憶部１１、外部機器接続部１２、操作部１３、表示部１４、楽曲データ再生部１５、スピーカ１６、携帯制御部３７によって構成される。
【００６１】
携帯制御部３７は、携帯オーディオ装置１の全体を制御し、記憶制御部１７１と、再生モード設定部３７２と、読出制御部３７３と、によって構成される。
再生モード設定部３７２は、携帯オーディオ装置１の操作部１３の通常再生モード設定キーが押下されると、通常再生モード設定指示が入力され、予め定められた所定の再生順に従って楽曲データ順次再生する通常再生モードを設定する。一方、携帯オーディオ装置１の操作部１３のリピート再生モード設定キーが押下されると、リピート再生モード設定指示が入力され、同一の楽曲データを繰り返し再生するリピート再生モードを設定する。
そして、設定した再生モードの情報を車載オーディオ装置２の再生モード記憶部２７２に出力する。
【００６２】
また、車載オーディオ装置２の操作部２３の通常再生モード設定キーが押下されるか、リピート再生モード時にトラックダウンキーが押下されると、車載オーディオ装置２の再生モード指示部４７１から通常再生モード指示が入力され、通常再生モードを設定する。一方、車載オーディオ装置２の操作部２３のリピート再生モード設定キーが押下されると、車載オーディオ装置２の再生モード指示部４７１からリピート再生モード設定指示が入力され、リピート再生モードを設定する。
さらに、再生モード設定部３７２は、リピート再生モード設定時に、トラックダウンキーが押下され、その後、楽曲データと楽曲情報が読出制御部３７３から再生制御部２７４に入力されると、車載オーディオ装置２の設定モード指示部４７１からリピート再生モード設定指示が入力され、リピート再生モードを設定する。
この再生モード設定部３７２は、上記のように、通常再生モードやリピート再生モードを設定する度に、その設定された再生モードの情報を車載オーディオ装置２の再生モード記憶部２７２に出力する。
【００６３】
読出制御部３７３は、操作部１３から楽曲再生指示が入力されると、楽曲データ記憶部１１から楽曲再生指示で指定された楽曲データと楽曲情報を取得し、楽曲データを楽曲データ再生部１５に出力し、楽曲情報を表示部１４に表示する。
その後、読出制御部３７３は、現在再生中の楽曲の再生が終わると、再生モード設定部３７２に設定されている再生モードを確認し、通常再生モードが設定されているときには、図３に示す楽曲番号順に、楽曲データと楽曲情報を楽曲データ記憶部１１から取得する。一方、再生モード設定部３７２でリピート再生モードが設定されているときには、再度同じ楽曲の楽曲データと楽曲情報を楽曲データ記憶部１１から取得する。
そして、楽曲データと楽曲情報を取得すると、読出制御部３７３は、楽曲データを楽曲データ再生部１５に出力し、楽曲情報を表示部１４に表示する。
【００６４】
読出制御部３７３は、車載オーディオ装置２から外部機器接続部１２を介して、楽曲再生指示が入力されると、楽曲データ記憶部１１から楽曲再生指示で指定された楽曲データと楽曲情報を取得し、車載オーディオ装置２の再生制御部２７４に出力する。
その後、読出制御部３７３は、現在再生中の楽曲の再生が終わると、再生モード設定部３７２に設定されている再生モードを確認し、通常再生モードが設定されているときには、図３に示す楽曲番号順に、楽曲データと楽曲情報を楽曲データ記憶部１１から取得する。一方、再生モード設定部３７２でリピート再生モードが設定されているときには、再度同じ楽曲の楽曲データと楽曲情報を楽曲データ記憶部１１から取得する。
そして、楽曲データと楽曲情報を取得すると、読出制御部３７３は、車載オーディオ装置２の再生制御部２７４に出力する。
【００６５】
読出制御部３７３は、操作部１３からトラックダウン指示が入力されると、再生モード設定部３７２に設定されている再生モードを確認し、通常再生モードが設定されているときには、再生時間が所定時間（例えば２秒）以内であれば、現在再生中の楽曲の前曲の楽曲データと楽曲情報を、再生時間が所定時間より後であれば、現在再生中の楽曲の楽曲データと楽曲情報を、楽曲データ記憶部１１から取得する。一方、リピート再生モードが設定されているときには、携帯オーディオ装置１に予め設定されている楽曲移行制御方法に従い、現在再生中の楽曲の前曲、あるいは、現在再生中の楽曲のどちらか一方の楽曲データと楽曲情報を楽曲データ記憶部１１から取得する。
そして、楽曲データと楽曲情報を取得すると、読出制御部３７３は、楽曲データを楽曲データ再生部１５に出力し、楽曲情報を表示部１４に表示する。
【００６６】
読出制御部３７３は、車載オーディオ装置２から外部機器接続部１２を介して、トラックダウン指示が入力されると、再生モード設定部３７２に設定されている再生モードを確認し、通常再生モードが設定されているときには、曲頭からの再生時間が所定時間（例えば２秒）以内であれば、現在再生中の楽曲の前曲の楽曲データと楽曲情報を、曲頭からの再生時間が所定時間より後であれば、現在再生中の楽曲の楽曲データと楽曲情報を、楽曲データ記憶部１１から取得する。一方、リピート再生モードが設定されているときには、携帯オーディオ装置１に予め設定されている楽曲移行制御方法に従い、現在再生中の楽曲の前曲、あるいは、現在再生中の楽曲のどちらか一方の楽曲データと楽曲情報を楽曲データ記憶部１１から取得する。
そして、楽曲データと楽曲情報を取得すると、読出制御部３７３は、車載オーディオ装置２の再生制御部２７４に出力する。
【００６７】
続いて、車載オーディオ装置２は、携帯オーディオ接続部２２、操作部２３、表示部２４、楽曲データ再生部２５、スピーカ２６、車載制御部４７によって構成される。
車載制御部４７は、車載オーディオ装置２の全体を制御し、再生モード指示部４７１と、再生モード記憶部２７２と、楽曲移行指示部４７３と、再生制御部２７４と、によって構成される。
【００６８】
再生モード指示部４７１は、操作部２３の通常再生モード設定キー（ＮＲ）が押下されると、携帯オーディオ接続部２２を介して、再生モード設定部３７２に通常再生モード設定指示を出力する。
また、再生モード指示部４７１は、操作部２３のリピート再生モード設定キー（ＲＰ）が押下されると、携帯オーディオ接続部２２を介して、再生モード設定部３７２にリピート再生モード設定指示を出力する。
【００６９】
さらに、再生モード指示部４７１は、再生モード記憶部２７２にリピート再生モードが記憶されているときに、操作部２３のトラックダウンキー（ＴＤ）が押下されると、楽曲移行指示部４７３が携帯オーディオ装置１にトラックダウン指示を出力する前に、通常再生モード設定指示を携帯オーディオ装置１の再生モード設定部３７２に出力する。
この処理を行った後、楽曲データと楽曲情報が携帯オーディオ装置１から再生制御部２７４に入力されると、再生モード指示部４７１は、携帯オーディオ装置１の再生モード設定部３７２にリピート再生モード設定指示を出力する。
【００７０】
楽曲移行指示部４７３は、操作部２３のトラックダウンキー（ＴＤ）が押下され、再生モード記憶部２７２に通常再生モードが記憶されているときには、携帯オーディオ装置１の読出制御部３７３にトラックダウン指示を出力する。
また、楽曲移行指示部４７３は、操作部２３のトラックダウンキー（ＴＤ）が押下され、再生モード記憶部２７２にリピート再生モードが記憶されているときには、再生モード指示部４７１が携帯オーディオ装置１に通常再生モード設定指示を出力した後、携帯オーディオ装置１の読出制御部３７３にトラックダウン指示を出力する。
【００７１】
続いて、本発明の実施例３に係る車載オーディオ装置２のトラックダウン操作に対する楽曲移行制御について、図１２を用いて説明する。ここで、携帯オーディオ装置１は、車載オーディオ装置２に接続されており、現在、楽曲「ＴｉｔｌｅＢ」が再生されており、当該楽曲「ＴｉｔｌｅＢ」が再生されてから、１秒後にトラックダウン操作が入力されるものとする。
【００７２】
ユーザは、車載オーディオ装置２の操作部２３のリピート再生モード設定キーを押下すると（Ｓ３０１）、再生モード指示部４７１は、リピート再生モード設定指示を携帯オーディオ装置１の再生モード設定部３７２に出力する（Ｓ３０３）。そして、その指示受け、再生モード設定部３７２は、リピート再生モードを設定する（Ｓ３０５）。このとき、再生モード設定部３７２は、設定したリピート再生モード情報を再生モード記憶部２７２に出力し（Ｓ３０７）、再生モード記憶部２７２は、リピート再生モードを記憶する（Ｓ３０９）。
【００７３】
その後、ユーザが、車載オーディオ装置２の操作部２３を用いて、楽曲再生から１秒後にトラックダウン操作（トラックダウンキー押下）を行うと（Ｓ３１１）、再生モード記憶部２７２にリピート再生モードが記憶されているため、再生モード指示部４７１は、携帯オーディオ装置１の再生モード設定部３７２に対して、通常再生モード設定指示を出力する（Ｓ３１３）。そして、再生モード設定部３７２は、入力された指示を受け、通常再生モードを設定する（Ｓ３１５）。このとき、再生モード設定部３７２は、設定した通常再生モード情報を再生モード記憶部２７２に出力し（Ｓ３１７）、再生モード記憶部２７２は、通常再生モードを記憶する（Ｓ３１９）。
【００７４】
続いて、楽曲移行指示部４７３は、携帯オーディオ装置１の読出制御部３７３に対して、トラックダウン指示を出力する（Ｓ３２１）。読出制御部３７３は、入力されたトラックダウン指示を受け、現在再生モード設定部３７２に通常再生モードが設定されており、かつ楽曲再生から２秒以内にトラックダウン操作が行われたため、現在再生中の楽曲の前曲の楽曲データと楽曲情報を読み出す（Ｓ３２３）。
なお、ここで、楽曲再生から２秒より後にトラックダウン操作が行われた場合には、現在再生中の楽曲の楽曲データと楽曲情報を読み出す。この所定時間以内にトラックダウン操作されたか所定時間より後にトラックダウン操作されたかの判断は、接続する携帯オーディオ装置１の読出制御部３７３により判断される。
そして、読み出した楽曲データと楽曲情報を、車載オーディオ装置２の再生制御部２７４に出力する（Ｓ３２５）。
【００７５】
具体的には、図１３に示すように、楽曲データ「ＴｉｔｌｅＢ」を再生中の場合、読出制御部３７３は、トラックダウン指示を受け、現在再生中の楽曲「ＴｉｔｌｅＢ」の前曲「ＴｉｔｌｅＡ」の楽曲データ（「ＤａｔａＡ」）と楽曲情報（アーティスト名「Ａｒｔｉｓｔ  Ａ」、アルバム名「Ａｌｂｕｍ  Ａ」、ジャンル「ＰＯＰＳ」、楽曲名「ＴｉｔｌｅＡ」）を楽曲データ記憶部１１から読み出し、それらを再生制御部２７４に出力する。
【００７６】
再生制御部２７４は、入力された楽曲データを楽曲データ再生部２５に出力し、楽曲再生を行い、また、再生制御部２７４は、入力された楽曲情報を表示部２４に表示する（Ｓ３２７）。
その後、再生モード指示部４７１は、携帯オーディオ装置１の再生モード設定部３７２に対して、リピート再生モード設定指示を出力する（Ｓ３２９）。そして、再生モード設定部３７２は、リピート再生モード設定指示を受け、リピート再生モードを設定する（Ｓ３３１）。このとき、再生モード設定部３７２は、設定したリピート再生モード情報を再生モード記憶部２７２に出力し（Ｓ３３３）、再生モード記憶部２７２は、リピート再生モードを記憶する（Ｓ３３５）。
【００７７】
なお、接続する携帯オーディオ装置の種類に関係なく、リピート再生モードの設定中にトラックダウン操作がされた際、全ての携帯オーディオ装置に対して、図１２に記載のトラックダウン操作に対する楽曲移行制御を行う例を説明したが、所定の携帯オーディオ装置１を接続したときだけ、トラックダウン操作に対する楽曲移行制御を行うようにすることも可能である。
【００７８】
具体的には、図１４に示すように、携帯オーディオ装置１に携帯オーディオ装置毎に定められた機種情報を示す機種ＩＤを予め記憶する機種情報記憶部１９を備え、車載オーディオ装置２に本発明に係るトラックダウン処理（図１２）を行う携帯オーディオ装置１の機種ＩＤを記憶する対象機種記憶部２９と、携帯オーディオ装置１から機種ＩＤを取得する機種情報取得部２７５を備え、機種情報取得部２７５が取得した機種ＩＤが、対象機種記憶部２９に記憶されている場合に、本発明に係るトラックダウン処理を行うようにする。
これにより、車載オーディオ装置２は、接続する携帯オーディオ装置１に応じて、本発明に係るトラックダウン操作に対する楽曲移行制御を行うか否かを制御することが可能となる。
【００７９】
上記の構成と処理により、リピート再生モード設定中に、楽曲再生から所定時間以内に、車載オーディオ装置２でトラックダウン操作を行うと、車載オーディオ装置２は、携帯オーディオ装置１に、リピート再生モードを解除する指示（通常再生モードを設定する指示）を出力し、続いて、トラックダウン指示を出力するため、接続する携帯オーディオ装置に係らず、常に、現在再生中の前曲の楽曲が再生されるようになり、ユーザの不快感をなくすことができる。
また、楽曲再生から所定時間より後に、トラックダウン操作を行うと、車載オーディオ装置２は、携帯オーディオ装置１に、リピート再生モードを解除する指示（通常再生モードを設定する指示）を出力し、続いて、トラックダウン指示、リピート再生モード設定指示の順に出力するため、接続する携帯オーディオ装置に係らず、常に、現在再生中の楽曲の先頭から再生されるようになり、ユーザの不快感をなくすことができる。
【実施例４】
【００８０】
図１５は、実施例４にかかる携帯オーディオ装置１と車載オーディオ装置２の構成を示した図である。なお、実施例１、実施例２、実施例３に示す携帯オーディオ装置１及び車載オーディオ装置２と同じ構成要素については、同じ符号を付して、その説明を省略する。
携帯オーディオ装置１は、楽曲データ記憶部１１、外部機器接続部１２、操作部１３、表示部１４、楽曲データ再生部１５、スピーカ１６、携帯制御部３８によって構成される。
携帯制御部３８は、携帯オーディオ装置１の全体を制御し、記憶部１７１と再生モード設定部３７２と、読出制御部３８３と、によって構成される。
【００８１】
読出制御部３８３は、操作部１３から楽曲再生指示が入力されると、楽曲データ記憶部１１から楽曲再生指示で指定された楽曲データと楽曲情報を取得し、楽曲データを楽曲データ再生部１５に出力し、楽曲情報を表示部１４に表示する。
その後、読出制御部３８３は、現在再生中の楽曲の再生が終わると、再生モード設定部３７２に設定されている再生モードを確認し、通常再生モードが設定されているときには、図３に示す楽曲番号順に、楽曲データと楽曲情報を楽曲データ記憶部１１から取得する。一方、再生モード設定部３７２でリピート再生モードが設定されているときには、再度同じ楽曲の楽曲データと楽曲情報を楽曲データ記憶部１１から取得する。
そして、楽曲データと楽曲情報を取得すると、読出制御部３８３は、楽曲データを楽曲データ再生部１５に出力し、楽曲情報を表示部１４に表示する。
【００８２】
読出制御部３８３は、車載オーディオ装置２から外部機器接続部１２を介して、楽曲再生指示が入力されると、楽曲データ記憶部１１から楽曲再生指示で指定された楽曲データと楽曲情報を取得し、車載オーディオ装置２の再生制御部２７４に出力する。
その後、読出制御部３８３は、現在再生中の楽曲の再生が終わると、再生モード設定部３７２に設定されている再生モードを確認し、通常再生モードが設定されているときには、図３に示す楽曲番号順に、楽曲データと楽曲情報を楽曲データ記憶部１１から取得する。一方、再生モード設定部３７２でリピート再生モードが設定されているときには、再度同じ楽曲の楽曲データと楽曲情報を楽曲データ記憶部１１から取得する。
そして、楽曲データと楽曲情報を取得すると、読出制御部３８３は、車載オーディオ装置２の再生制御部２７４に出力する。
【００８３】
読出制御部３８３は、操作部１３からトラックアップ指示が入力されると、再生モード設定部３７２に設定されている再生モードを確認し、通常再生モードが設定されているときには、現在再生中の楽曲の次曲の楽曲データと楽曲情報を、楽曲データ記憶部１１から取得する。一方、リピート再生モードが設定されているときには、携帯オーディオ装置１に予め設定されている楽曲移行制御方法に従い、現在再生中の楽曲の次曲、あるいは、現在再生中の楽曲のどちらか一方の楽曲データと楽曲情報を楽曲データ記憶部１１から取得する。
そして、楽曲データと楽曲情報を取得すると、読出制御部３８３は、楽曲データを楽曲データ再生部１５に出力し、楽曲情報を表示部１４に表示する。
【００８４】
読出制御部３８３は、車載オーディオ装置２から外部機器接続部１２を介して、トラックアップ指示が入力されると、再生モード設定部３７２に設定されている再生モードを確認し、通常再生モードが設定されているときには、現在再生中の楽曲の次曲の楽曲データと楽曲情報を、楽曲データ記憶部１１から取得する。一方、リピート再生モードが設定されているときには、携帯オーディオ装置１に予め設定されている楽曲移行制御方法に従い、現在再生中の楽曲の次曲、あるいは、現在再生中の楽曲のどちらか一方の楽曲データと楽曲情報を楽曲データ記憶部１１から取得する。
【００８５】
また、読出制御部３８３は、車載オーディオ装置２から外部機器接続部１２を介して、トラックダウン指示が入力されると、再生モード設定部３７２に設定されている再生モードを確認し、通常再生モードが設定されているときには、再生時間が所定時間（例えば２秒）以内であれば、現在再生中の楽曲の前曲の楽曲データと楽曲情報を、再生時間が所定時間より後であれば、現在再生中の楽曲の楽曲データと楽曲情報を、楽曲データ記憶部１１から取得する。一方、リピート再生モードが設定されているときには、携帯オーディオ装置１に予め設定されている楽曲移行制御方法に従い、現在再生中の楽曲の前曲、あるいは、現在再生中の楽曲のどちらか一方の楽曲データと楽曲情報を楽曲データ記憶部１１から取得する。
そして、楽曲データと楽曲情報を取得すると、読出制御部３８３は、車載オーディオ装置２の再生制御部２７４に出力する。
【００８６】
続いて、車載オーディオ装置２は、携帯オーディオ接続部２２、操作部２３、表示部２４、楽曲データ再生部２５、スピーカ２６、車載制御部４８によって構成される。
車載制御部４８は、車載オーディオ装置２の全体を制御し、再生モード指示部４７１と、再生モード記憶部２７２と、楽曲移行指示部４８３と、再生制御部２７４と、によって構成される。
【００８７】
楽曲移行指示部４８３は、操作部２３のトラックダウンキー（ＴＤ）が押下され、再生モード記憶部２７２に通常再生モードが記憶されているときには、携帯オーディオ装置１の読出制御部３８３にトラックダウン指示を出力する。
また、楽曲移行指示部４８３は、操作部２３のトラックダウンキー（ＴＤ）が押下され、再生モード記憶部２７２にリピート再生モードが記憶されているときには、再生モード指示部４７１が携帯オーディオ装置１に通常再生モード設定指示を出力した後、携帯オーディオ装置１の読出制御部３８３にトラックアップ指示、トラックダウン指示順に出力する。
【００８８】
続いて、本発明の実施例４に係る車載オーディオ装置２のトラックダウン操作に対する楽曲移行制御について、図１６を用いて説明する。ここで、携帯オーディオ装置１は、車載オーディオ装置２に接続されており、現在、楽曲「ＴｉｔｌｅＢ」が再生されているものとする。
【００８９】
ユーザは、車載オーディオ装置２の操作部２３のリピート再生モード設定キーを押下すると（Ｓ４０１）、再生モード指示部４７１は、リピート再生モード設定指示を携帯オーディオ装置１の再生モード設定部３７２に出力する（Ｓ４０３）。そして、その指示を受け、再生モード設定部３７２は、リピート再生モードを設定する（Ｓ４０５）。このとき、再生モード設定部３７２は、設定したリピート再生モード情報を再生モード記憶部２７２に出力し（Ｓ４０７）、再生モード記憶部２７２は、リピート再生モードを記憶する（Ｓ４０９）。
【００９０】
その後、ユーザが、車載オーディオ装置２の操作部２３を用いてトラックダウン操作（トラックダウンキー押下）を行うと（Ｓ４１１）、再生モード記憶部２７２にリピート再生モードが記憶されているため、再生モード指示部４７１は、携帯オーディオ装置１の再生モード設定部３７２に対して、通常再生モード設定指示を出力する（Ｓ４１３）。そして、再生モード設定部３７２は、入力された指示を受け、通常再生モードを設定する（Ｓ４１５）。このとき、再生モード設定部３７２は、設定した通常再生モード情報を再生モード記憶部２７２に出力し（Ｓ４１７）、再生モード記憶部２７２は、通常再生モードを記憶する（Ｓ４１９）。
【００９１】
続いて、楽曲移行指示部４８３は、携帯オーディオ装置１の読出制御部３８３に対して、トラックアップ指示を出力する（Ｓ４２１）。読出制御部３８３は、入力されたトラックアップ指示を受け、現在再生モード設定部３７２には通常再生モードが設定されているため、現在再生中の楽曲の次曲の楽曲データと楽曲情報を読み出す（Ｓ４２３）。
【００９２】
その後、楽曲移行指示部４８３は、ステップＳ４２１にてトラックアップ指示を出力すると、すぐに、携帯オーディオ装置１の読出制御部３８３に対して、トラックダウン指示を出力する（Ｓ４２５）。読出制御部３８３は、入力されたトラックダウン指示を受け、現在再生モード設定部３７２には通常再生モードが設定されているため、ステップＳ４２３にて読み出した楽曲の前曲の楽曲データと楽曲情報を、楽曲データ記憶部１１から読み出す（Ｓ４２７）。つまり、車載オーディオ装置２でトラックダウン操作を行った時に、再生中であった楽曲の楽曲データと楽曲情報が読み出される。
そして、読出制御部３８３は、読み出した楽曲データと楽曲情報を、車載オーディオ装置２の再生制御部２７４に出力する（Ｓ４２９）
【００９３】
具体的には、図１０（実施例２）に示す動作と同じになり、楽曲データ「ＴｉｔｌｅＢ」を再生中の場合、読出制御部３８３は、トラックアップ指示を受け、現在再生中の楽曲「ＴｉｔｌｅＢ」の次曲「ＴｉｔｌｅＣ」の楽曲データ（「ＤａｔａＣ」）と楽曲情報（アーティスト名「Ａｒｔｉｓｔ  Ａ」、アルバム名「Ａｌｂｕｍ  Ａ」、ジャンル「ＰＯＰＳ」、楽曲名「ＴｉｔｌｅＣ」）を楽曲データ記憶部１１から読み出す。
その後、すぐにトラックダウン指示が読出制御部３８３に入力されるので、先ほど読み出した楽曲「ＴｉｔｌｅＣ」の前曲「ＴｉｔｌｅＢ」の楽曲データ（「ＤａｔａＢ」）と楽曲情報（アーティスト名「Ａｒｔｉｓｔ  Ａ」、アルバム名「Ａｌｂｕｍ  Ａ」、ジャンル「ＰＯＰＳ」、楽曲名「ＴｉｔｌｅＢ」）を楽曲データ記憶部１１から読み出し、それらを再生制御部２７４に出力する。
【００９４】
再生制御部２７４は、入力された楽曲データを楽曲データ再生部２５に出力し、楽曲再生を行い、また、再生制御部２７４は、入力された楽曲情報を表示部２４に表示させる（Ｓ４３１）。
その後、再生モード指示部４７１は、携帯オーディオ装置１の再生モード設定部３７２に対して、リピート再生モードの設定指示を出力する（Ｓ４３３）。そして、再生モード設定部３７２は、リピート再生モード設定指示を受け、リピート再生モードを設定する（Ｓ４３５）。このとき、再生モード設定部３７２は、設定したリピート再生モード情報を再生モード記憶部２７２に出力し（Ｓ４３７）、再生モード記憶部２７２は、リピート再生モードを記憶する（Ｓ４３９）。
【００９５】
なお、本実施例４の場合においても、接続する携帯オーディオ装置の種類に関係なく、リピート再生モードの設定中にトラックダウン操作がされた際、全ての携帯オーディオ装置に対して、図１６に記載のトラックダウン操作に対する楽曲移行制御を行う例を説明したが、所定の携帯オーディオ装置１を接続したときだけ、トラックダウン操作に対する楽曲移行制御を行うようにすることも可能である。
このトラックダウン操作に対する楽曲移行制御を行う携帯オーディオ装置か否かの判別については、実施例３記載の内容と同じであり、機種情報記憶部１９と、対象機種記憶部２９と、機種情報取得部２７５とを更に備えることで、可能となるため、その説明を省略する。
【００９６】
上記の構成と処理により、リピート再生モード設定中に、車載オーディオ装置２でトラックダウン操作を行うと、車載オーディオ装置２は、携帯オーディオ装置１に、リピート再生モードを解除する指示（通常再生モードを設定する指示）を出力し、続いて、トラックアップ指示、トラックダウン指示、リピート再生モード設定指示の順に出力するため、接続する携帯オーディオ装置に係らず、常に、現在再生中の楽曲の先頭から再生されるようになり、ユーザの不快感をなくすことができる。
【００９７】
なお、各実施例の構成は、単独で構成するのみならず、組み合わせた構成とすることが可能であり、ユーザにより設定変更可能となるようにしてもよい。組み合わせ構成の例としては、以下のような設定がある。
（１）実施例１と実施例３の組み合わせ、（２）実施例１と実施例４の組み合わせ、（３）実施例２と実施例３の組み合わせ、（４）実施例２と実施例４の組み合わせ、このような各実施例の組み合わせにより、構成することで、トラックアップによる楽曲移行制御とトラックダウンによる楽曲移行制御を行うオーディオ装置が実現される。
【符号の説明】
【００９８】
１  携帯オーディオ装置
２  車載オーディオ装置
１１  楽曲データ記憶部
１２  外部機器接続部
１３、２２  操作部
１４、２４  表示部
１５、２５  楽曲データ再生部
１６、２６  スピーカ
１７、１８、３７、３８  携帯制御部
１７１  記憶制御部
１７２、３７２  再生モード設定部
１７３、１８３、３７３、３８３  読出制御部
２２  携帯オーディオ接続部
２７、２８、４７、４８  車載制御部
２７１、４７１  再生モード指示部
２７２  再生モード記憶部
２７３、２８３、４７３、４８３  楽曲移行指示部
２７４  再生制御部
ＮＲ  通常再生モード設定キー
ＲＰ  リピート再生モード設定キー
ＴＵ  トラックアップキー
ＴＤ  トラックダウンキー
【図１】
2013097822.tif 000003
【図２】
2013097822.tif 000004
【図３】
2013097822.tif 000005
【図４】
2013097822.tif 000006
【図５】
2013097822.tif 000007
【図６】
2013097822.tif 000008
【図７】
2013097822.tif 000009
【図８】
2013097822.tif 000010
【図９】
2013097822.tif 000011
【図１０】
2013097822.tif 000012
【図１１】
2013097822.tif 000013
【図１２】
2013097822.tif 000014
【図１３】
2013097822.tif 000015
【図１４】
2013097822.tif 000016
【図１５】
2013097822.tif 000017
【図１６】
2013097822.tif 000018